(57)【要約】【課題】使用中に万一上部ヒンジが外れても、ドアの傾倒若しくは脱落を確実に防止するとともに、ドアの反りの発生を抑制することのできるドア脱落防止具を備えたドア取付構造を提供する。【解決手段】第１の取付部９の一端に垂直な枢軸１０を介して連結された第１のリンク１１と、該第１のリンク１１の他端に垂直な枢軸１２を介して一端部で連結された第２のリンク１３と、該第２のリンク１３の他端に垂直な枢軸１４を介して連結された第２の取付部１５とからなり、第１の取付部９が建具枠Ａに取り付けられ、第２の取付部１５がドアＥの端面に取り付けられている構成。【選択図】図２
2012097436.tif 000002
【特許請求の範囲】
【請求項１】
ドアがヒンジを介して建具枠に取り付けられたドア取付構造であって、第１の取付部の一端に枢支された第１のリンクと、該第１のリンクの他端に一端が枢支された第２のリンクと、該第２のリンクの他端に一端が枢支された第２の取付部とからなるドア脱落防止具を設け、第１の取付部が建具枠に取り付けられ、第２の取付部がドアの端面に取り付けられているドア取付構造。
【発明の詳細な説明】
【技術分野】
【０００１】
本発明は、室内で使用される木製ドアの取付構造に関するものである。
【背景技術】
【０００２】
家屋内部には、部屋の出入り口を開閉する木製のスイングドア（以下単にドアという）が広く用いられている。このドア２３は、図１２に示すように、ピボットヒンジや持ち出し蝶番等のヒンジ２２を介して垂直な建具枠２１ａに取り付けられ、ヒンジ２２の枢軸を支点として開閉できるようになっている。垂直な建具枠はドア取り付けスペースをあけて左右一対配置されて框等の固定枠体２０に取り付けられ、一方の建具枠２１ａにドア２３を連結するヒンジ２２の一片（取付片）２２ａが取り付けられ、他方の建具枠２１ｂにはドアのラッチ２４が係合する係合穴２５が形成される。また、建具枠２１ａ、２１ｂには、ドア２３が閉じたときにドア端部が当接する凸状の戸当たり部２６が設けられている。  尚、凸状の戸当たり部を有する建具枠にヒンジを介してドアが取り付けられたドア取付構造は、例えば特許文献１等で開示されている。
【先行技術文献】
【特許文献】
【０００３】
【特許文献１】特開２０００−１７０４５６号公報
【発明の開示】
【発明が解決しようとする課題】
【０００４】
建具枠にピボットヒンジや持ち出し蝶番等のヒンジ２２を介してドア２３を取り付けて使用しているときに、外的な衝撃による振動や、取付不良等により上部のヒンジが外れることがある。また、木製ドアは長期使用中に反りや歪みが生じることがある。このような上部ヒンジが外れると、ドアが大きく傾倒し、若しくは脱落して大変危険である。また、ドアに反りや歪みが発生すると、ドア開閉時にきしみ音等が生じてスムースな開閉動作ができなくなるとともにドアと固定枠部（框）との間に隙間が生じて外観が悪くなり、かつ部屋の密閉効果が劣化する。
【０００５】
そこで、本発明は、使用中に万一上部ヒンジが外れても、ドアの傾倒若しくは脱落を確実に防止するとともに、ドアの反りの発生を抑制することのできるドア脱落防止具を備えたドア取付構造を提供することを目的とする。
【課題を解決するための手段】
【０００６】
上記課題を解決するために本発明では次のような技術的手段を講じた。即ち、本発明では、ドアがヒンジを介して建具枠に取り付けられたドア取付構造であって、第１の取付部の一端に枢支された第１のリンクと、該第１のリンクの他端に一端が枢支された第２のリンクと、該第２のリンクの他端に一端が枢支された第２の取付部とからなるドア脱落防止具を設け、第１の取付部が建具枠に取り付けられ、第２の取付部がドアの端面に取り付けられている構成とした。
【発明の効果】
【０００７】
本発明は上記の如く構成したものであるから、使用中に何らかの衝撃によって上部のヒンジが外れても、ドア脱落防止具によってドアが傾倒または脱落するのを防止することができるとともに、通常の使用時においても、ドア中間部位がドア脱落防止具によって支えられているのでドアの反り等の発生を抑えることができるといった効果がある。。
【図面の簡単な説明】
【０００８】
【図１】本発明における建具枠の実施例を示す斜視図である。
【図２】上記建具枠を用いたドア取付構造の一部（一方の建具枠部分）を示す斜視図である。
【図３】上記建具枠を用いたドア取付構造の一部（他方の建具枠部分）を示す斜視図である。
【図４】上記ドア取付構造の平面図である。
【図５】上記ドア脱落防止部分を示す平面図であってドア閉じ姿勢を示す
【図６】図５同様の平面図であってドアを４５度開いた状態を示す。
【図７】図５同様の平面図であってドアを９０度開いた状態を示す。
【図８】図５同様の平面図であってドアを１８０度開いた状態を示す。
【図９】本発明におけるドア脱落防止具の別実施例を示す斜視図である。
【図１０】上記建具枠の別実施例を示す分解断面図である。
【図１１】図１０で示した建具枠を固定枠部に取り付けた状態を示す断面図である。
【図１２】従来の建具枠を使用したドア取付構造を示す一部断面平面図である。
【発明を実施するための形態】
【０００９】
以下において、本発明の詳細をその実施の形態を示す図面に基づいて詳細に説明する。  図１〜図８において、符号Ａは建具枠であって、上下方向に延びる板状の長尺部材１の一側面にフラットな取付面２が形成され、他側面に長さ方向に沿った凹溝３が形成されており、凹溝３の両縁部のうちその一方の縁部４が他方の縁部５より高くして戸当たり部６として形成されている。
なお、本実施例では、建具枠Ａは木材または合成樹脂材によって一体的に形成されている。
【００１０】
上記建具枠Ａが左右一対用意され、それぞれの凹溝３を対向させた状態で框や壁枠等の固定枠部Ｂ、Ｂに対称的に配置され、適当な固定手段、例えば釘やビス等を介して取り付けられる。そして、一方の建具枠、例えば図２並びに図４に示すように左側の建具枠Ａの凹溝３に上ヒンジＣ並びに下ヒンジＤの一方の取付部７が収められてビス等により取り付けられ、各ヒンジの反対側の取付部８がドアＥに取り付けられている。このようにしてヒンジの取付部７、８が建具枠Ａの凹溝３に収められているので、前方側（図４の下方側）からみてヒンジの取付部７、８が建具枠Ａの縁部４によって隠されるとともに、取付部７、８の厚みによる建具枠ＡとドアＥとの隙間の発生を無くすることができる。
【００１１】
更に、ドアＥの中間部位で、ドアＥと建具枠Ａとにドア脱落防止具Ｆが取り付けられている。この脱落防止具Ｆは、第１の取付部９の一端に垂直な枢軸１０を介して連結された第１のリンク１１と、該第１のリンク１１の他端に垂直な枢軸１２を介して一端部で連結された第２のリンク１３と、該第２のリンク１３の他端に垂直な枢軸１４を介して連結された第２の取付部１５とからなる。
このドア脱落防止具Ｆの第１の取付部９が建具枠Ａの凹溝３内でビス等により取り付けられ、第２の取付部１５がドアＥの端面に取り付けられている。ドア脱落防止具Ｅのリンク１１、１３の長さは、上下のヒンジＣ、Ｄの回動軸を支点とするドアの回動を阻害しないように、その寸法が予め設定されている。即ち、図５のドア閉じ姿勢から、図６、図７並びに図８の開き姿勢までヒンジの回動軸Ｐを支点とするドアＥの回動がスムースに行うことができるようにリンク１１，１３の長さが予め設定されている。
このドア脱落防止具Ｆによって、ドアＥの上ヒンジＣが衝撃等により外れた場合に、ドアＥが傾倒したり脱落したりするのを防止することができるとともに、ドアＥの中間部位がドア脱落防止具Ｆによって支えられているので、ドアＥの反りの発生を抑制することができる。
【００１２】
また、本実施例では、図３並びに図４に示すように、右側の建具枠Ａの凹溝３にラッチ受けＧが取り付けられる。このラッチ受けＧは、金属板のプレス加工によって作られ、中間部位に係合段部１６を介在させた状態で取付片１７と案内板１８とが段差状に形成されており、取付片１７がビス等により取り付けられている。係合段部１６は、図４に示すようにドアＥを閉じたときにドアに取り付けられたラッチＨに係合してドアの閉止姿勢を保持する。ラッチＨはドアのノブＪを回動により後退することができる。このラッチやノブは、従来からドアに取り付けられて広く実施されている公知のものを使用することができる。
【００１３】
尚、上記実施例では、脱落防止具Ｆのリンク１１、１３が板状のもので形成したが、図９に示すように、棒状のもので形成することも可能である。
【００１４】
図１０並びに図１１は上記建具枠の別実施例を示すものである。
この建具枠Ａ’は、戸当たり部６が合成樹脂製または金属製の断面略コの字状型材により長尺部材１とは別体で形成され、その各遊端が取付脚６ａ、６ａとして形成されており、長尺部材１には前記取付脚６ａを嵌合固定する左右一対の嵌め込み溝１ａ、１ａが形成され、この嵌め込み溝１ａに取付脚６ａを嵌合して戸当たり部６を長尺部材１に取り付けられている。
これにより、建具枠Ａ’を壁枠等の固定枠部Ｂに取り付ける際、長尺部材１の左右の嵌め込み溝１ａ、１ａの間でビスまたは釘１９を打ち込んで長尺部材１を固定したあと、戸当たり部６を取り付けることにより、釘頭やビス頭を隠すことができて体裁をよくすることができる。また、色彩やサイズの異なった各種の戸当たり部を用意することによって、必要に応じて所望のものを選択して使用することができる。尚、図に示すように釘１９を打ち込む際のガイドとなる案内溝２０を予め嵌め込み溝１ａ、１ａの間に形成しておくのがよい。
【００１５】
以上、本発明の代表的な実施例について説明したが、本発明は必ずしも上記の実施例の構造のみに特定されるものではなく、その目的を達成し、請求の範囲を逸脱しない範囲内で適宜修正、変更することが可能である。
【産業上の利用可能性】
【００１６】
本発明のドア取付構造は、室内で使用される木製ドアを取り付けるために適用することができる。
【符号の説明】
【００１７】
Ａ  ドア
Ｂ  固定枠部
Ｃ  ヒンジ
Ｄ  ヒンジ
Ｅ  ドア
Ｆ  ドア脱落防止具
Ｇ  ラッチ受け
１  長尺部材
２  建具枠の取付面
３  凹溝
４  一方の縁部
５  他方の縁部
６  戸当たり部材
７  ヒンジの取付部
８  ヒンジの取付部
９  ドア脱落防止具の第１の取付部
１１  第１のランク
１３  第２のリンク
１５  ドア脱落防止具の第２の取付部
１６  ラッチ受けの段部
１７  ラッチ受けの取付片
１８  ラッチ受けの案内板
【図１】
2012097436.tif 000003
【図２】
2012097436.tif 000004
【図３】
2012097436.tif 000005
【図４】
2012097436.tif 000006
【図５】
2012097436.tif 000007
【図６】
2012097436.tif 000008
【図７】
2012097436.tif 000009
【図８】
2012097436.tif 000010
【図９】
2012097436.tif 000011
【図１０】
2012097436.tif 000012
【図１１】
2012097436.tif 000013
【図１２】
2012097436.tif 000014